(57)【要約】【課題】スイッチトキャパシタ電力増幅器（１０２）をランプするための方法を開示する。【解決手段】スイッチトキャパシタ電力増幅器（１０２）は、キャパシタバンク内に複数のキャパシタ（１０４）を含み、この方法は、スイッチトキャパシタ電力増幅器をランプするステップを含み、上記ランプすることは、活性化されるキャパシタバンク内のキャパシタ（１０４）の数を変更するステップ（２０２）と、ある時間期間活性化されたキャパシタバンク内のキャパシタの数を保持するステップ（２０６）と、前記変更及び保持を繰り返すステップとにより実行され、前記時間期間の長さは、前記保持の繰り返しにわたって変化される。【選択図】図１
2018007251.tif 000002
【特許請求の範囲】
【請求項１】
スイッチトキャパシタ電力増幅器（１０２）をランプするための方法であって、
前記スイッチトキャパシタ電力増幅器（１０２）は、キャパシタバンク内に複数のキャパシタ（１０４）を含み、
前記方法は、前記スイッチトキャパシタ電力増幅器をランプするステップを含み、
前記ランプすることは、
前記キャパシタバンク内のキャパシタ（１０４）の数を変更するステップ（２０２）と、
ある時間期間において、活性化されたキャパシタバンク内のキャパシタの数を保持するステップ（２０６）と、
前記変更と前記保持とを繰り返すステップとにより実行され、
前記時間期間の長さは、前記保持の繰り返しにわたって変化される方法。
【請求項２】
前記時間期間の長さは、擬似ランダムシーケンスに従って変化される請求項１に記載の方法。
【請求項３】
前記時間期間の長さは、ランダム変数とクロック周期との積によって与えられ、
前記ランダム変数は１から最大値までの整数である請求項１又は２に記載の方法。
【請求項４】
ランプする時間を制御するための最大値の入力を受信するステップをさらに含む請求項３に記載の方法。
【請求項５】
前記キャパシタ（１０４）の数を、ステッピングパラメータによって制御される数だけ変化させることを含む請求項１〜４のうちのいずれか１つに記載の方法。
【請求項６】
前記スイッチトキャパシタ電力増幅器（１０２）のランプを制御するための入力パラメータを受信するステップをさらに含み、
前記入力パラメータは、電磁波干渉規則に適合されている請求項１〜５のうちのいずれか１つに記載の方法。
【請求項７】
前記スイッチトキャパシタ電力増幅器（１０２）は、定包絡線無線周波信号を発生するときに使用される請求項１〜６のうちのいずれか１つに記載の方法。
【請求項８】
前記スイッチトキャパシタによって形成される発振信号に基づいて、前記定包絡線無線周波信号を発生することをさらに含む請求項７に記載の方法。
【請求項９】
無線周波信号を発生する装置であって、
前記装置は、
キャパシタバンク内に複数のキャパシタ（１０４）を含むスイッチトキャパシタ電力増幅器（１０２）と、
前記スイッチトキャパシタ電力増幅器（１０２）のランプを制御するための制御部（１１０）とを備え、
前記制御部（１１０）は、
活性化されているキャパシタバンク内のキャパシタ（１０４）の数を変更するための制御信号を送り、
一定の時間期間において活性化されたキャパシタバンク内のキャパシタ（１０４）の数を保持し、
前記制御信号の送信と前記保持を繰り返すように設けられ、
前記時間期間の長さは、前記保持の繰り返しにわたって変化される、無線周波信号を発生する装置。
【請求項１０】
前記制御部は、擬似ランダムシーケンス発生部を備え、
前記時間期間の長さは、擬似乱数シーケンス発生部（１１４）で発生された擬似乱数シーケンスに基づいて変化される請求項９に記載の装置。
【請求項１１】
前記制御部（１１０）は、前記擬似乱数シーケンス発生部（１１４）により発生されたランダム変数と前記制御部のクロック周波数とに基づいて、前記時間期間の長さを制御するように構成される請求項１０に記載の装置。
【請求項１２】
前記制御部（１１０）は、スイッチトキャパシタ電力増幅器（１０２）のランプの制御に影響を与える入力パラメータを受信するためのインターフェースを含む請求項９〜１１のうちのいずれか１つに記載の装置。
【請求項１３】
前記入力パラメータは、前記時間期間の長さに影響するランダム変数の最大値と、変更するステップにおいて変更されるキャパシタの数を規定するステッピングパラメータとのグループから選択された少なくとも１つのパラメータである請求項１２に記載の装置。
【請求項１４】
スイッチトキャパシタによって形成される発振信号に基づいて、定包絡線無線周波信号を送信するための送信機をさらに備えた請求項９〜１３のうちのいずれか１つに記載の装置。
【請求項１５】
無線ローカルエリアネットワーク上で通信するハンドヘルド装置であって、
請求項９〜１４のうちのいずれか１つに記載の装置を含むハンドヘルド装置。
【発明の詳細な説明】
【技術分野】
【０００１】
本発明は、スイッチトキャパシタ電力増幅器をランプする（傾斜をつけて活性化する）ための方法及び装置に関する。
【背景技術】
【０００２】
無線周波数（ＲＦ）無線通信システムでは、電力増幅器は消費電力に大きな影響を与える部品である。このため、電力増幅器の高い効率は、エネルギーを節約し、バッテリ寿命を延ばすのに有益であり得る。
【０００３】
ＲＦ信号の定包絡線変調は、電力増幅器が飽和レベル又はそれに近いレベルで動作することを可能にする。このことは、電力増幅器が効率的に使用されることを意味し、変調方式には低いピーク対平均電力比を与えることができるからである。
【０００４】
無線送信機によって送信される信号は、電磁波干渉（ＥＭＩ）規則を満たす必要がある。ＥＭＩ規則は各国によって異なる場合があるが、その無線信号が互いに干渉しないことと、送信が許可されている認可された帯域で送信する送信機が帯域外の信号と干渉しないことを保証するために使用されている。
【０００５】
複数のＥＭＩ規則を満たすように、送信される周波数と電力の厳密な制御を行い、可能であれば、エネルギー消費を最小限に抑えながら異なる国の異なるＥＭＩ規則に適応するＲＦ送信機を提供することが望まれている。
【先行技術文献】
【非特許文献】
【０００６】
【非特許文献１】S.-M. Yoo, J. Walling, E. C. Woo, B. Jann and D. Allstot, "A switched-capacitor RF power amplifier", IEEE Journal of Solid-State Circuits, Vol. 46, No. 12, pp. 2977-2987, December 2011.
【発明の概要】
【発明が解決しようとする課題】
【０００７】
非特許文献１では、スイッチトキャパシタ電力増幅器は、効率的に信号を増幅するために、非定包絡線変調信号の包絡線上で動作するように示されている。
【０００８】
本発明の目的は、ＥＭＩ規則を考慮した無線周波信号を発生することにある。一実施形態では、本発明の目的は、無線周波信号を発生する際のスイッチトキャパシタ電力増幅器（ＳＣＰＡ）のランピングを処理することである。
【課題を解決するための手段】
【０００９】
本発明のこれらの目的及び他の目的は、独立請求項に定義される本発明によって少なくとも部分的に満たされる。好ましい実施形態は、従属請求項に記載されている。
【００１０】
本発明の第１の態様によれば、スイッチトキャパシタ電力増幅器をランプするための方法が提供され、前記スイッチトキャパシタ電力増幅器は、キャパシタバンク内に複数のキャパシタを含み、前記方法は、
前記スイッチトキャパシタ電力増幅器のランプすることを含み、
前記ランプすることは、
前記キャパシタバンク内のキャパシタの数を変更するステップと、
ある時間期間にわたって活性化されたキャパシタバンク内のキャパシタの数を保持するステップと、
前記変更と保持を繰り返すことにより実行され、
前記時間期間の長さは、前記保持の繰り返しにわたって変化される。
【００１１】
本発明の第２の態様によれば、無線周波信号を発生するための装置が提供される。前記装置は、スイッチトキャパシタ電力増幅器を備え、前記スイッチトキャパシタ電力増幅器は、キャパシタバンク内の複数のキャパシタと、スイッチトキャパシタ電力増幅器のランプ制御を行う制御部とを備える。前記制御部は、
活性化されているキャパシタバンク内のキャパシタの数を変更するための制御信号を送り、
ある時間期間にわたって活性化されたキャパシタバンク内のキャパシタの数を保持し、
前記制御信号の送信及び保持を繰り返すように設けられ、
前記時間期間の長さは、前記保持の繰り返しにわたって変化される。
【００１２】
本発明によれば、無線周波信号を発生するためにＳＣＰＡを使用することができ、無線周波信号は、ＥＭＩ規則が確実に満たされるようにＳＣＰＡを注意深く制御してもよい。本発明は、ＳＣＰＡのデジタルロジックを用いて、定包絡線無線周波信号を発生するときにＥＭＩを制限するための、明確に定義されたランプアップ／ダウン動作が作成される事実に基づいている。従って、高周波信号の発生をオン／オフするときに発生される信号は、ＥＭＩ規則が確実に満たされるように制御することができる。
【００１３】
一実施形態によれば、ＳＣＰＡは、定包絡線の無線周波信号を発生するときに使用される。上述したように、ＳＣＰＡの傾斜を制御することは、定包絡線無線周波信号が送信されるときに、ＥＭＩ規則が満たされることを保証するために有利である。
【００１４】
しかしながら、本発明のさらなる洞察として、方法及び装置が、定包絡線無線周波信号の発生するときだけでなく、非定包絡線信号の発生をオン／オフするときにランプアップ／ダウン（ｒａｍｐ−ｕｐｄｏｗｎ）することにおいて用いることができる。
【００１５】
本発明によれば、ランプすることは、活性されるキャパシタバンク内のキャパシタの数の変更を繰り返し、一定時間期間において活性化されるキャパシタバンク内のキャパシタの数を保持することにより複数のステップにおいて実行される。時間間隔は、活性化されるキャパシタの数を変更する連続するステップ間の時間遅延を定義する。保持期間の繰り返しにわたって時間期間の長さのために、変化するステップは特定の周期性で起こることと、この周期性が望ましくない周波数で強い信号を送信する原因となることが回避される。従って、発生された信号のＥＭＩは、規則によって設定された要件内になるように制御することができる。
【００１６】
本願の文脈において、「キャパシタバンク内のキャパシタが活性化されている」という用語は、キャパシタのスイッチングがアクティブ状態であると解釈すべきである。このことは、キャパシタが接続される電圧をグランドと電源の間で切り替えられることを意味する。スイッチングは、発振器周波数で実行され、従って、活性化されているキャパシタは、発生された信号の電力を増幅するのに寄与する。キャパシタが活性化されると、キャパシタがグランドに接続されることと、電源に接続されることとの間で連続的にスイッチングされるようにスイッチングが保持される。ＳＣＰＡのアップ又はダウン（増減）時において、活性化されたキャパシタの数は、最終的にキャパシタバンク内の所望の数の活性化されたキャパシタを有するように、いくつかのステップで変更される。
【００１７】
本方法の一実施形態によれば、時間期間の長さは、擬似ランダムシーケンスに従って変化される。同様に、本装置の一実施形態によれば、前記制御部は、擬似乱数シーケンス発生部を備え、前記擬似ランダムシーケンス発生部により発生された擬似ランダムシーケンスに基づいてその時間期間の長さが変化される。
【００１８】
ランダムシーケンスにより時間期間の長さを変化することは、活性化されたキャパシタの数を変更する規則的な周期性が回避され、従って、発生された信号のＥＭＩに対するそのような周期性の影響が回避され得る。さらに、擬似乱数列を用いることにより、送信された信号上の活性化されたキャパシタの数を変更する複数のステップの効果を十分に制御することができる。
【００１９】
この装置の一実施形態によれば、前記制御部は、前記擬似乱数シーケンス発生部により発生されたランダム変数と前記制御部のクロック周波数とに基づいて、時間期間の長さを制御するように構成される。ＳＣＰＡはデジタル制御が可能なため、各クロックサイクルでアクティブになるキャパシタの数を変更することは自然である。キャパシタの数を変更するこの周波数は、擬似ランダムシーケンスを使用してディザリングすることができ、このことは、時間期間の長さを制御する簡単な方法を可能にする。
【００２０】
本方法の一実施形態によれば、この時間期間の長さは、ランダム変数とクロック周期との積によって与えられ、ここで、ランダム変数は、１から最大値までの整数である。同様に、このことは、クロック周期を有する制御部を使用して、時間期間の長さを容易に制御することを可能にする。
【００２１】
本方法の一実施形態によれば、ランプ時間を制御するための最大値の入力を受信するステップをさらに含む。このように、最大値は制御部に入力されて、ＳＣＰＡのランプをリアルタイムで制御することができる。
【００２２】
本方法の別の実施形態によれば、変化することは、ステッピングパラメータによって制御される数によってキャパシタの数を変化させることを含む。従って、ステッピングパラメータは、変更の各段階で変更する各ステップにおいて活性化又は非活性化され得るキャパシタの数を制御することができ、このことは、変更の各段階で変更する各ステップにおいてスプリアス周波数に影響を与えることができる。
【００２３】
本方法の別の実施形態によれば、ＳＣＰＡのランプを制御するための入力パラメータを受信するステップをさらに含み、入力パラメータは電磁波干渉の規則に適合される。従って、入力パラメータが、ＳＣＰＡのランプが現地の地域で適用される規則に依存するように、現地のＥＭＩ規則に適合するように提供されてもよい。このことは、ランプアップがＥＭＩ規則に適合することを意味し、ランプの速度（すなわち、ＳＣＰＡを完全にランプアップ／ダウンさせるのにかかる時間）を最大限に高める。このように、ＥＭＩ規則が厳しい場合、入力パラメータはスプリアス周波数で弱い信号を発生しながら、速度が遅くなるようにランプを制御することがある一方で、ＥＭＩ規則が寛容である場合、入力パラメータは、スピードが比較的速く、スプリアス周波数においてより強い信号を発生し（ＥＭＩ規則を満たしながら）ランプを制御することができる。
【００２４】
この装置の一実施形態によれば、制御部は、ＳＣＰＡのランプの制御に影響を及ぼす入力パラメータを受信するためのインターフェースを備える。従って、制御部は、ランプを制御するための入力パラメータを受信することができるように構成される。
【００２５】
入力パラメータは、時間期間の長さに影響を及ぼす確率変数の最大値と、変更ステップにおいて変更されるキャパシタの数を規定するステップパラメータとのグループから選択された少なくとも１つのパラメータである。
【００２６】
本方法の一実施形態によれば、スイッチトキャパシタによって形成される発振信号に基づいて、定包絡線無線周波信号を発生するステップをさらに含む。従って、スイッチトキャパシタによって形成される信号は、定包絡線無線周波信号を発生するために使用され得る。
【００２７】
この装置の一実施形態によれば、スイッチトキャパシタによって形成される発振信号に基づいて、定包絡線無線周波信号を送信するための送信機をさらに備える。従って、送信機は、定包絡線無線周波信号が送信されるように装置内に配置されてもよい。
【００２８】
一実施形態によれば、送信される無線周波信号はサブＧＨｚ信号である。例えば９００ＭＨｚの範囲においてＧＨｚ以下の周波数のサブＧＨｚ信号である無線周波信号は、例えば装置のインターネット（ＩｏＴ）の使用で。装置間の無線通信に使用することができる。しかしながら、ＧＨｚ以下の周波数帯域はグローバルに規則されておらず、ＥＭＩ規則は地域によって異なる場合がある。従って、本発明がＳＣＰＡの傾斜を現地のＥＭＩ規則に適合するように適応させる可能性は、送信された無線周波信号がサブＧＨｚ信号である場合には、特に有用であり得る。
【００２９】
本発明の第３の態様によれば、無線ローカルエリアネットワーク上で通信するハンドヘルド（手持ち式）装置が提供され、ハンドヘルド装置は、本発明の第２の態様に係る装置を備える。
【００３０】
本発明のこの第３の態様の効果及び特徴は、本発明の概念の第１及び第２の態様と関連して上述したようにこれらと類似している。本発明の第１及び第２の態様に関して述べた実施形態は本発明の第３の態様と大きく互換性がある。
【００３１】
特に、人々が、例えばグローバルに旅行するとき携帯電話などのハンドヘルド装置を持ってくるのは一般的である。従って、ハンドヘルド装置は、ときどき、異なるＥＭＩ規則を有する異なる国の無線ネットワークにおいて通信するために使用されてもよい。この点において、本発明の第２の態様に係る装置を備えたハンドヘルド装置を有することは、ＳＣＰＡのランプアップ／ダウンの制御をローカルＥＭＩ規則に適合させ、またランプアップ／ダウンタイムを最大にすることができる。
【００３２】
本発明のこれら及び他の態様について、本発明の実施形態を示す添付の図面を参照してさらに詳細に説明する。
【図面の簡単な説明】
【００３３】
【図１】本発明の一実施形態に係る装置の概略図である。
【図２】ＳＣＰＡのランピングにおけるスプリアス放射を示す図である。
【図３】本発明に係るスプリアス放射の制御を示す図である。
【図４】本発明の一実施形態による方法のフローチャートである。
【発明を実施するための形態】
【００３４】
本発明は、添付の図面を参照して以下でより完全に説明される。本発明の現在の好ましい実施形態が示されているが、本発明は、多くの異なる形態で実施することができ、本明細書に記載の実施形態に限定されるものと解釈すべきではない。むしろ、これらの実施形態は、完全性及び完全性のために提供され、本発明の範囲を当業者に完全に伝える。
【００３５】
ここで図１を参照すると、無線周波信号を発生するための装置１００が示されている。装置１００は、例えば、無線ローカルエリアネットワーク上のハンドヘルド装置の通信を可能にするハンドヘルド装置に組み込まれてもよい。ハンドヘルド装置は例えばユーザによって運ばれる携帯電話又はその他の装置である。装置１００によって発生された無線周波信号は、機械型通信（ＭＴＣ）のために有用である。従って、装置１００は、ポータブル装置、もしくはポータブル装置であるか否かに関係なく、無線通信を使用するＭＴＣを使用する任意の装置に組み込むことができる。
【００３６】
この装置は、ＳＣＰＡ１０２を備える。ＳＣＰＡ１０２は、キャパシタバンク内に多数のキャパシタ１０４を含む。各キャパシタ１０４の１つのプレートは、代替的に、例えば接地電位、又は交流電圧の定電圧に接続されてもよく、この交流電圧は接地電位と特定の周波数の電源電圧とを交互に切り替えることができる。従って、キャパシタ１０４は、キャパシタ１０４を定電圧又は交流電圧に接続するためのスイッチ１０６を備えることができる。
【００３７】
交流電圧は、ＬＯ周波数を有する信号をキャパシタ１０４への入力として提供する局部発振器（ＬＯ）１０８によって供給されてもよい。キャパシタ１０４は、スイッチ１０６が交流電圧に接続されているときに活性化される。
【００３８】
前述したように、ＳＣＰＡ１０２は、キャパシタバンク内に複数のキャパシタ１０４を含む。ＳＣＰＡ１０２は、活性化されるキャパシタ１０４の数を変更することによって出力電力をデジタル制御する。
【００３９】
活性化されたキャパシタ１０４の数はｎによって示され、キャパシタバンク内の活性化されたキャパシタ１０４の総数をＮとすることができる。活性化されたキャパシタ１０４は、合計のアクティブキャパシタンス
【数１】
2018007251.tif 000003
をともに供給する。非活性化キャパシタは接地又は電源電圧に接続されたままであり、その結果、全容量Ｃ、すなわちアクティブ＋非アクティブの容量は一定のままであり、共振周波数は変化しないようになる。これにより、キャパシタの総数及び総アレイ容量に応じて振幅が量子化される、ＬＯ周波数の方形波を発生することができる。従って、ＳＣＰＡ１０２によって出力される方形波は、接地電位と出力電圧Ｖｏｕｔとの間で交互に変化する（交番する）ことができ、力電圧Ｖｏｕｔは次式で表される。
【００４０】
【数２】
2018007251.tif 000004
【００４１】
ここで、ｎ∈｛０，１，…，Ｎ｝であり、最大出力電圧はＶｍａｘ＝（２Ｖｄｄ）／πとなる。
【００４２】
ＳＣＰＡ１０２は方形波を帯域通過フィルタ及び整合回路網１０９に出力することで、正弦波電圧信号を提供し、これにより、送信機によって変調された信号を送信する前において、送信される情報を含むベースバンド信号によって変調される搬送波信号を提供することができる。
【００４３】
従って、ＳＣＰＡ１０２は、整合回路網１０９と直列共振する容量性分圧器を有するＤ級電力増幅器のように動作する。出力電力は次式で与えられる。
【００４４】
【数３】
2018007251.tif 000005
【００４５】
Ｚ０は整合回路網１０９のインピーダンスである。
【００４６】
振幅の量子化のために、スプリアス放射が予想される。以下に示すように、オン／オフ時においてスプリアスが許容範囲内に収まるようにＳＣＰＡ１０２を傾斜させるための制御部１１０を設けることができる。
【００４７】
従って、装置１００は、制御部１１０をさらに備える。制御部１１０は、活性化されるキャパシタバンクにおいてキャパシタ１０４の数を制御するための制御信号を送信するように構成することができる。制御信号は、例えば、活性化されているキャパシタ１０４の数を制御するためにスイッチ１０６に接続されるキャパシタ制御部１２０に送られる。
【００４８】
制御部１１０は、ＳＣＰＡ１０２の所望のランプを提供するために送信される制御信号を決定するロジック１１２をさらに備えてもよい。また、制御部１１０は、擬似ランダムシーケンスを提供する擬似乱数シーケンス発生部１１４を備え、擬似ランダムシーケンスは、以下でさらに説明するように、ＳＣＰＡ１０２のランプ制御を制御するときに使用されてもよい。
【００４９】
制御部１１０は、マイクロプロセッサの動作を制御するためにプログラム可能であるマイクロプロセッサで実装してもよい。例えば、処理部は中央処理ユニット（ＣＰＵ）であってもよい。代わりに、処理部は、特定の論理演算のみを提供する専用回路であってもよい。従って、処理部は、特定用途向け集積回路（ＡＳＩＣ）の形態で提供されてもよい。
アプリケーション特有の命令セットプロセッサ（ＡＳＩＰ）又はフィールドプログラマブルゲートアレイを含む。
【００５０】
地域のＥＭＩ規則は、例えば米国の連邦通信委員会（ＦＣＣ）、ヨーロッパの電気通信標準化機構（ＥＴＳＩ）、日本のＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）などの各国の当局によって規定されている。ＥＭＩ規則は国によって異なる場合があり、装置１００は使用される地域のＥＭＩ規則を満たすように調整されるべきである。
【００５１】
従って、制御部１１０は、入力パラメータを受信するためのインターフェース１１６を備えることもできる。入力パラメータは、関連するローカルＥＭＩ規則が満たされるように、制御部１１０を制御するために使用されてもよい。例えば、制御部１１０は、装置１００が異なる国の間で移動される場合、異なるＥＭＩ規則に適合させることができる。
【００５２】
代替的に、制御部１１０は、装置１００がインストールされる場所が既知であれば、すなわち、それゆえ、どのＥＭＩ規則が適用されるが既知であれば、装置１００の製造時に関連するＥＭＩ規則に適合される。
【００５３】
特に、制御部１１０は、ＳＣＰＡ１０２がオン又はオフにされるときに、ＳＣＰＡ１０２のランプアップ及びランプダウンを制御することができる。ＳＣＰＡ１０２の傾斜は、次のようにモデル化することができる。
【００５４】
前記のモデルから出発して、ｎはランピング中に時変（時間的に変化するパラメータ）になる。無限に速いスイッチングを仮定すると、時間ｅ（ｔ）の関数としての包絡線は、次式で表される。
【００５５】
【数４】
2018007251.tif 000006
【００５６】
ここで、ｕ（・）は単位ステップ関数を表す。さらに、τｋとｎｋはともに包絡線変化の事象に関係し、すなわち、イベント（事象）後のキャパシタの総数Ｎに関係する、イベントの時間、及び活性化されたキャパシタ１０４の数の比である。イベントにおける活性化されたキャパシタ１０４の数の比の変化は、ａｋによって示され、それは次式で定義される。
【００５７】
【数５】
2018007251.tif 000007
【００５８】
最後に、Ｋは包絡線変化事象の総数を示す。完全なランプアップをモデル化するために、すべてのキャパシタ１０４が、一連の事象の中でいかなるランプダウンもなしに、最後に活性化されるという意味において、次式で表される。
【００５９】
ｎ−１＝０
ｎＮ−１＝Ｎ
【００６０】
表記法を単純化するために、包絡線は次式のように書き直すことができる。
【００６１】
【数６】
2018007251.tif 000008
【００６２】
ここで、
【数７】
2018007251.tif 000009
となるように、
【数８】
2018007251.tif 000010
ａｋ＝ｎｋ−ｎｋ−１
である。
【００６３】
実際には、ＳＣＰＡ１０２は、デジタルロジック１１２を使用して制御することができ、典型的には、τｋ＝ｎｋＴｃであり、ここで、Ｔｃはデジタルロジック１１２のクロック周期を示す。従って、ＳＣＰＡ１０２のデジタル制御はベクトルａによって表すことができ、ここで、ベクトルａのｋ番目の要素ａｋは、ｋ番目のクロックサイクルにおける電力増幅器の振幅変化を表し、ここで、ａｋ＝０は振幅変化がないことを意味する。ここで、
ａｋ＞０は振幅の増加を表し、ａｋ＜０の場合は振幅の減少を表す。
【００６４】
【数９】
2018007251.tif 000011
【００６５】
ＳＣＰＡ１０２のランプ（ランピング）の効果は、出力信号がＥＭＩ試験受信機によってどのように受信されるかに関係して解析することができる。従って、以下では、ランピングがどのように実施されるかを説明するために、ＥＭＩ試験受信機によって受信された信号の解析が行われる。
【００６６】
装置１００によって発生された信号を受信するＥＭＩ試験受信機において、全体の立ち上がり時間が周波数の分解能帯域幅の逆数よりもかなり長い場合に、一定の振幅増加を伴う有限持続時間のランプアップは、一連のディラックパルスによって近似することができる。周期Ｔｃを有する一連のディラックパルスを仮定することにより、ランプアップは次式のように近似することができる。
【００６７】
【数１０】
2018007251.tif 000012
【００６８】
言い換えると、当該信号は、振幅ａ／Ｔｃで１／Ｔｃだけ分離された複数のトーンの和になる。
【００６９】
ＥＭＩ試験受信機は、複数のバンドパスフィルタで構成されてもよく、各バンドパスフィルタはＬＯ周波数に関して差として表される周波数ｆ０の周りの受信信号の電力を決定する。ＥＭＩ試験受信機の各帯域通過フィルタにおける受信信号は次式で表される。
【００７０】
【数１１】
2018007251.tif 000013
【００７１】
ここで、Ｇは、ＥＭＩ試験受信機のバンドパスフィルタのガウスフィルタの周波数応答である。
【００７２】
ＥＭＩ試験受信機のバンドパスフィルタの分解能帯域幅がクロックレートと比較して小さいため、任意の所与の観測周波数に対して、多くても１つのトーンが有効に通過させる。さらに、１／ｋの項のために、もしｋ∈｛−１，１｝の場合においてはＳＣＰＡ１０２のランプアップによって引き起こされる最大のサイドローブが生じることは明らかである。このとき、次式を得る。
【００７３】
【数１２】
2018007251.tif 000014
【００７４】
信号強度がｔとは無関係であること、すなわち、振幅／包絡線は一定であることは、注目されるかもしれません。さらに、結果はクロック周波数に依存せず、すなわちクロック周波数を下げても結果は変わらない。
【００７５】
ここで、ａ＝２−Ｎｂを仮定する。ここで、Ｎｂは振幅ステップサイズのｌｏｇ２である。次に、最大のサイドローブの値がｆｃｌｋで見つけられ、すなわち、クロック周波数と等しく、電力は次式で表される。
【００７６】
【数１３】
2018007251.tif 000015
【００７７】
従って、ランプアップ手順が分解能帯域幅の逆数と比較して長い場合、最大サイドローブは、−６．０２Ｎｂ−２．９５［ｄＢｍ］に等しい電力で、送信機の搬送波周波数からｆｃｌｋで予測することができる。
【００７８】
（２ＮｂＴｃ）が分解能帯域幅の逆数のオーダーの場合において、何が起こるか説明するために、最大結果の表現とシミュレーション結果の比較を図２に示す。この場合、Ｎｂ＝６とし、クロックレートを変化させる。
【００７９】
可視性の理由から、最大ピークサイドローブにはアスタリスク（＊）が付与されている。この場合、クロックレートが６．４ＭＨｚの場合、ランプアップ時間は分解能帯域幅の逆数になる。予想されるように、クロックレートＲｃが６．４ＭＨｚより低い場合、理論モデルはシミュレーション結果とよく一致する。クロックレートが６．４ＭＨｚを超えると、両者の差異が大きくなる。
【００８０】
従って、上記に示したように、追加のキャパシタ１０４を各クロックサイクルで作動させると、時間的規則性が生じ、スペクトルスパイクが生じる。クロックレートを下げると、最も強いスペクトルスパイクの周波数にのみ影響するが、その電力には影響しない。クロックレートを上げると、もしそれが大きければ整合回路網１０９はスパイクを抑制する。典型的には、整合回路網１０９は、十分な抑制を達成するために非常に高いクロックレートが必要とされるように、広帯域であり、また、これはデジタル領域におけるより高い電力消費を犠牲にしている。
【００８１】
本発明によれば、デジタル制御された時間ディザリング技術が、その周波数に影響を与えることなく第１のスペクトルスパイクの電力を低減するために、追加の立ち上がり時間を犠牲にして、使用される。ランプアップ／ダウンの間に各クロックサイクルにおいて１つ以上の／より少ないキャパシタ１０４をアクティブ／非アクティブにする代わりに、次のキャパシタ１０４をアクティブにする前に、クロックサイクルの擬似乱数を待つ。電力ステップ間の平均期間が長くなると、クロック周波数でのスペクトルスパイクの電力が低減される。さらに、ランダムな性質のために、他の周波数ではスパイクは発生しないが、スパイクは単に０とクロック周波数の間の全範囲に広がる。
【００８２】
前記のように、（アクティブキャパシタ１０４の数を１だけ増減させる）２つのイベント間の時間は、（擬似）乱数とすることができ、すなわち、次式で表される。
【００８３】
【数１４】
2018007251.tif 000016
【００８４】
ここで、ｒｋは、ｒｋ∈｛１，２，…，Ｎｒ｝の自然数値を持つ確率変数である。その結果、ランプアップ時間もランダムになる。
【００８５】
図３において、得られたスペクトルは、異なる値のＮｒを有するランダムな実現のために示される。図３では、それぞれ１６ＭＨｚ及び３２ＭＨｚのクロック周波数を使用してランピングを行い、ディザリングなしのときを基準値として示されている。さらに、図３は、９２８ＭＨｚの搬送波周波数を仮定したＡＲＩＢマスクも示している。この例では、Ｎｂは８に等しく選択され、このことはディザリングが適用されない場合、両方のクロックレートに対してＡＲＩＢマスクが違反されることを意味する。図３において、２ＭＨｚを超える周波数を与えられた大域的な最大値は「＋」でマークされ、約３２ＭＨｚの局所的最大値は「ｘ」でマークされる。その結果、両方が一致するとアスタリスク（＊）が表示される。再び、クロックレートを減少させてもクロックスパーの電力は変化しないことが示されている。両方のディザリングされたケース（Ｎｒ＝２；４）において、クロック周波数でのスプリアスが低減される一方、期待されるように、Ｎｒが４であればランプアップ時間は犠牲になり、より低いスプリアスが得られる。
【００８６】
値ｒｋのランダムシーケンスの実現は、擬似ランダムに発生することができ、例えばリニアフィードバックシフトレジスタ（ＬＦＳＲ）を使用して、ランプアップ／ダウンごとに再初期化することができ、このことはスペクトルマスクとの適合性を保証することができる。
【００８７】
制御部１１０は、振幅のステップサイズを規定するステップパラメータを入力パラメータとして受信し、すなわち、これらのパラメータは各イベントにおいて活性化されるキャパシタ１０４の数、及び／又はランダム変数の最大値Ｎｒを含む。入力パラメータは、現地のＥＭＩ規則が確実に満たされるようにするために、そのパラメータの中でＳＣＰＡ１０２が特定のＥＭＩ規則を満たすように使用できる試験に基づいて使用されてもよい。
【００８８】
従って、過酷な条件では、ステッピングパラメータは１に設定されてもよく、Ｎｒの最大値は大きくてもよい（例えば、４）。より寛大な要件では、ステッピングパラメータを増加させることができ、及び／又は最大値を減少させることができる。
【００８９】
一実施形態によれば、ランプ中にＳＣＰＡ１０２から出力される信号に連続位相変調（ＣＰＭ）が加えられる。従って、ＣＰＭは、搬送波信号に加えられてもよく、これによりスプリアスの電力も低下する可能性がある。特に、このことは、もし変調が、変調帯域幅がＥＭＩ試験受信機の分解能帯域幅のオーダー又はオーダーであるようになされるならば、隣接チャネル／代替チャネルの電力漏れとランピングスプリアスとの間のトレードオフを行うことができる。利点は、ＣＰＭを使用してもランピング時間が増加せず、ディザリングに加えて使用できることである。
【００９０】
ここで図４を参照して、ＳＣＰＡ１０２をランプする方法について説明する。この方法は、装置１００による信号の送信をオン又はオフにする必要性に基づいて、ＳＣＰＡ１０２がランプアップ又はランプダウンされるトリガを受信すると開始される。
【００９１】
この方法は、ステップ２０２において、ステッピングパラメータによって設定された数だけ活性化されるキャパシタ１０４の数が変更される。次に、本方法はステップ２０４に進み、所望の数のキャパシタ１０４がＳＣＰＡ１０２で起動されているか否かをチェックし、すなわち、ＳＣＰＡ１０２が所望の電力に傾斜されているかチェックされる。
【００９２】
もしそうでない場合、本方法は、ステップ２０６に進み、キャパシタ１０４の数を変更する別のイベントが実行されるまで繰り返される。次のイベントは、クロック周期の整数倍で発生するようにスケジューリングされてもよい。従って、ステップ２０６は、クロックサイクルが、ｒｋＴｃと一致するか否かをチェックすることを構成してもよい。ここで、ｒｋは、キャパシタ１０４の数を変化させるイベント間の時間間隔が変化し得るようなランダム変数である。発生する待機中において、ステップ２０６は、所望の時間が経過したか否かをチェックし、活性化されたキャパシタは活性状態に保持される。
【００９３】
所望の時間が経過すると、本方法は、活性化されているキャパシタ１０４の数を再び変化させるためにステップ２０２に戻る。従って、この方法は、所望の数のキャパシタ１０４が活性化されてランプが完了するまでステップ２０２−２０６の処理を繰り返す。
【００９４】
前記において、本発明は、限られた数の実施形態に関して主に説明されているが、当業者には容易に理解されるように、上述したもの以外の他の実施形態も本発明の範囲内で同様に可能であり、添付の特許請求の範囲によって規定される。
【図１】
2018007251.tif 000017
【図２】
2018007251.tif 000018
【図３】
2018007251.tif 000019
【図４】
2018007251.tif 000020
【外国語明細書】
2018007251.tif 000021
2018007251.tif 000022
2018007251.tif 000023
2018007251.tif 000024
2018007251.tif 000025
2018007251.tif 000026
2018007251.tif 000027
2018007251.tif 000028
2018007251.tif 000029
2018007251.tif 000030
2018007251.tif 000031
2018007251.tif 000032
2018007251.tif 000033
2018007251.tif 000034
2018007251.tif 000035
2018007251.tif 000036
2018007251.tif 000037
2018007251.tif 000038
2018007251.tif 000039
2018007251.tif 000040
2018007251.tif 000041
2018007251.tif 000042